(57)【要約】【課題】本発明は、廃食用油を原料とするバイオディーゼル燃料（BDF）の製造工程において副生される粗グリセリンを燃焼させることができるグリセリン燃焼暖房装置を提供する。【解決手段】本発明のグリセリン燃焼暖房装置は、前記燃焼炉２の底部に粗グリセリンを溜める受皿６を設け、該受皿６内には水平回転軸７を中心に回転する撹拌羽８が設けられ、該撹拌羽８は外部に設けたギャードモーター９の回転軸にカップリング１０を介して水平回転軸７を設けられ、燃焼炉２を水平貫通する供給筒１１内を通して燃焼炉２に臨ませると共に、前記燃焼炉２に空気を供給するブロワー１８が設けられているため、粗グリセリンに空気供給しながら撹拌行為をするので連続燃焼させることができる。【選択図】図１
2010139184.tif 000002
【特許請求の範囲】
【請求項１】
下部に粗グリセリンを燃焼する燃焼炉、上部に粗グリセリンの燃焼熱気を溜める燃焼室を一体に備え、さらに前記燃焼室の外周囲には空間を開けて熱交換室を設けているグリセリン燃焼暖房装置において、前記燃焼炉の底部に粗グリセリンを溜める受皿を設け、該受皿内には水平回転軸を中心に回転する撹拌羽が設けられ、該撹拌羽は外部に設けたギャードモーターの回転軸にカップリングを介して水平回転軸を設けられ、燃焼炉を貫通する供給筒内を通して受皿に臨ませると共に、前記燃焼炉に空気を供給するブロワーが設けられていることを特徴とするグリセリン燃焼暖房装置。
【請求項２】
前記熱交換室の側壁には送風ファンが設けられ、前記熱交換室に熱交換空気を供給すると共に、前記熱交換室の天井には温風吹出口が設けられることを特徴とする請求項１記載のグリセリン燃焼暖房装置。
【請求項３】
高所に設けた粗グリセリンタンクから重力を利用して粗グリセリン用燃料ホースを介して前記燃焼炉を水平貫通する供給筒へ供給し、該供給筒から前記受皿へ粗グリセリンを供給することを特徴とする請求項１記載のグリセリン燃焼暖房装置。
【請求項４】
灯油タンクから重力を利用して灯油ホースによりフィルターを介して灯油が前記供給筒内に設けた灯油バーナーに供給されることを特徴とする請求項１記載のグリセリン燃焼暖房装置。
【発明の詳細な説明】
【技術分野】
【０００１】
本発明は、廃食用油を原料とするバイオディーゼル燃料（BDF）の製造工程において副生される粗グリセリンを燃焼させることができるグリセリン燃焼暖房装置に関する。
【背景技術】
【０００２】
従来、廃食用油を原料とするバイオディーゼル燃料（BDF）の製造工程においては、廃食用油１０重量にメタノール２重量、水酸化カリウムを触媒として、エステル交換反応でBDFが１０重量製造され、同時に粗グリセリンが２重量副生される。
不純物が多く、工業用グリセリンとして利用できる品質でないため、有効な利活用の確立がされていないので多くは処理費をかけて産業廃棄物として処分しているのが実情である。
よって、この粗グリセリンを有効に熱利用するため、粗グリセリンを燃料とした小型暖房機を開発し熱供給源とすれば、現在の化石燃料の高騰に対処しつつ、健康な環境づくりと化石燃料からの脱却を図り、循環型社会づくりに貢献してゆくことができる。
【０００３】
従来、可燃ゴミとして処分されていた廃グリセリン等の可燃性燃焼物を燃焼する燃焼装置が知られている（特許文献１を参照）。
この公知技術では、装置本体と、該装置本体の上部に下向きに火炎が噴出するように配置されたバーナと、該バーナから噴出した火炎を包含するように前記装置本体の内部に配置され、上端が開口し下端が閉鎖した燃焼容器とを備えている燃焼装置である。
バーナの着火に使用した廃食油が燃焼している間に、加熱した燃焼容器内に適量の廃グリセリンを滴下し、燃焼容器内にて気化した廃グリセリンは極く短時間に蒸発し始め、火炎を形成して燃焼し始め、このようにして形成された火炎で燃焼容器を加熱することにより、連続して滴下される廃グリセリンの燃焼が可能になるものである。
本発明は、粗グリセリンが空気供給しながら撹拌行為をしなければ連続燃焼できない特性であるということが分かったので開発できた。
【特許文献１】特開２００８−６４３５８号公報
【発明の開示】
【発明が解決しようとする課題】
【０００４】
本発明は、廃食用油を原料とするバイオディーゼル燃料（BDF）の製造工程において副生される粗グリセリンを燃焼させることができるグリセリン燃焼暖房装置を提供することを目的とする。
【課題を解決するための手段】
【０００５】
本発明のグリセリン燃焼暖房装置は、下部に粗グリセリンを燃焼する燃焼炉、上部に粗グリセリンの燃焼熱気を溜める燃焼室を一体に備え、さらに前記燃焼室の外周囲には空間を開けて熱交換室を設けているものにおいて、前記燃焼炉の底部に粗グリセリンを溜める受皿を設け、該受皿内には水平回転軸を中心に回転する撹拌羽が設けられ、該撹拌羽は外部に設けたギャードモーターの回転軸にカップリングを介して水平回転軸を設けられ、燃焼炉を貫通する供給筒内を通して受皿に臨ませると共に、前記燃焼炉に空気を供給するブロワーが設けられているものである。
前記熱交換室の側壁には送風ファンが設けられ、前記熱交換室に熱交換空気を供給すると共に、前記熱交換室の天井には温風吹出口が設けられるものである。
高所に設けた粗グリセリンタンクから重力を利用して粗グリセリン用燃料ホースを介して前記燃焼炉を水平貫通する供給筒へ供給し、該供給筒から前記受皿へ粗グリセリンを供給するものである。
灯油タンクから重力を利用して灯油ホースによりフィルターを介して灯油が前記供給筒内に設けた灯油バーナーに供給されるものである。
【発明の効果】
【０００６】
本発明のグリセリン燃焼暖房装置は、前記燃焼炉の底部に粗グリセリンを溜める受皿を設け、該受皿内には水平回転軸を中心に回転する撹拌羽が設けられ、該撹拌羽は外部に設けたギャードモーターの回転軸にカップリングを介して水平回転軸を設けられ、燃焼炉を貫通する供給筒内を通して受皿に臨ませると共に、前記燃焼炉に空気を供給するブロワーが設けられているため、粗グリセリンに空気供給しながら撹拌行為をするので連続燃焼させることができる効果がある。
【発明を実施するための最良の形態】
【０００７】
本発明のグリセリン燃焼暖房装置の一実施例を添付図面に基づいて、以下に説明する。
図１は本発明のグリセリン燃焼暖房装置の正面図、図２は同装置の右側面図、図３は図２のＡ−Ａ矢視断面図である。
図１に示すように、グリセリン燃焼暖房装置本体１は、矩形の筺体からなり、下部に粗グリセリンを燃焼する燃焼炉２、上部に粗グリセリンの燃焼熱気を溜める燃焼室３を一体に備え、さらに、図３に示すように前記燃焼室３の外周囲には空間を開けて熱交換室４を設けている。
５は前記グリセリン燃焼暖房装置本体１を支持する架台である。
【０００８】
前記燃焼炉２は、底部に粗グリセリンを溜める受皿６を設け、該受皿６内には水平回転軸７を中心に回転する撹拌羽８が設けられ、該撹拌羽８は外部に設けたギャードモーター９の回転軸にカップリング１０を介して水平回転軸７を設けられ、前記燃焼炉２を水平貫通する供給筒１１内を通して受皿６に臨ませる。
高所に設けた粗グリセリンタンク１２から重力を利用して粗グリセリン用燃料ホース１３を介して前記燃焼炉２を水平貫通する供給筒１１へ供給し、該供給筒１１から前記受皿６へ粗グリセリンを供給する。
前記粗グリセリン用燃料ホース１３の途中にはサーモスタット１４と連動し、粗グリセリンの供給を制御する電磁弁１５を設ける。
【０００９】
さらに、灯油タンク１６から重力を利用して灯油ホース１７によりフィルター１８を介して灯油が前記供給筒１１内に設けた灯油バーナー(図示せず)に供給される。
また、前記燃焼炉２に空気を供給するブロワー１８が設けられ、前記燃焼炉２に燃焼を促進する空気を送風する。
図１、２に示すように、前記燃焼室３の天井には排気筒１９が設けられ、粗グリセリンの燃焼排気を排気する。
また前記熱交換室４の側壁には送風ファン２０が設けられ、前記熱交換室４に熱交換空気を供給すると共に、前記熱交換室４の天井には温風吹出口２１が設けられる。
１４は熱交換室の近傍に設けたサーモスタットである。
【００１０】
次に、本発明のグリセリン燃焼暖房装置の一実施例を添付図面に基づいて、以下に説明する。
図１に示すように、燃焼炉２の底部に設けた受皿６に粗グリセリンを溜め、供給筒１１内に設けた灯油バーナー(図示せず)で粗グリセリンに点火する。
同時に低速回転用のギャードモーター９で燃焼炉２内の撹拌羽８をゆっくり回転させながら、受皿６に溜めた粗グリセリンを撹拌する。
一方、ブロワー１８で燃焼炉２に空気供給をし、粗グリセリンの燃焼を促し、燃焼が安定してくると燃焼装置（CDS）が働いて、灯油バーナー(図示せず)は燃焼を停止する。
灯油バーナー(図示せず)は燃焼を停止するが、受皿６の粗グリセリンはブロワー１８からの空気供給により粗グリセリン１００％で燃焼し続ける。
また、粗グリセリン用燃料ホース１３の中途に電磁弁１５を装着し、サーモスタット１４と連動させているので、設定温度以上になると電磁弁１５が働き、粗グリセリンの供給が止まり、消火する。
【００１１】
又、設定温度以下になると再び電磁弁１５が開き、粗グリセリンの供給が始まり、灯油バーナー(図示せず)も再稼働し再点火され、前述と同様に撹拌羽８やブロワー１８が作動して粗グリセリンの燃焼が始まり、そして粗グリセリンの燃焼が安定してくれば停止するということが繰り返される。
このように粗グリセリンを燃焼させ、燃焼室３の外周囲には空間を開けて熱交換室４を設けているので、熱交換により得た熱を送風ファン２０にて温風吹出口２１よりホース等を使用して、必要なところへ送ることができる。
【図面の簡単な説明】
【００１２】
【図１】本発明のグリセリン燃焼暖房装置の正面図である。
【図２】本発明のグリセリン燃焼暖房装置の右側面図である。
【図３】図２のＡ−Ａ矢視断面図である。
【符号の説明】
【００１３】
１  グリセリン燃焼暖房装置本体
２  燃焼炉
３  燃焼室
４  熱交換室
５  架台
６  受皿
７  水平回転軸
８  撹拌羽
９  ギャードモーター
１０  カップリング
１１  供給筒
１２  粗グリセリンタンク
１３  粗グリセリン用燃料ホース
１４  サーモスタット
１５  電磁弁
１６  灯油タンク
１７  灯油ホース
１８  フィルター
１９  排気筒
２０  送風ファン
２１  温風吹出口
【図１】
2010139184.tif 000003
【図２】
2010139184.tif 000004
【図３】
2010139184.tif 000005